(57)【要約】【課題】簡易な構成で複数枚の原稿の両面読取時間の短縮を実現でき、かつジャムの発生を極力防止できる画像読取装置を提供する。【解決手段】原稿Ｐが載置される原稿給紙部２７と、原稿Ｐの情報を読み取る原稿読取手段１７と、原稿給紙部２７に積載された原稿Ｐを原稿読取手段１７に供給する原稿供給手段２１と、原稿給紙部２７と原稿読取手段１７を介して反対側に設けられ片面の情報が読み取られた原稿Ｐが排出される片面原稿排紙部５９と、原稿給紙部２７の上方に配置され両面の情報が読み取られた原稿Ｐが排出される両面原稿排紙部２６と、を有する構成とした。【選択図】      図２
2005033455.tif 000002
【特許請求の範囲】
【請求項１】
原稿が載置される原稿給紙部と、原稿の情報を読み取る原稿読取手段と、前記原稿給紙部に積載された原稿を前記原稿読取手段に供給する原稿供給手段と、前記原稿給紙部と前記原稿読取手段を介して反対側に設けられ片面の情報が読み取られた原稿が排出される片面原稿排紙部と、前記原稿給紙部の上方に配置され両面の情報が読み取られた原稿が排出される両面原稿排紙部と、を有することを特徴とする画像読取装置。
【請求項２】
前記原稿読取手段により情報が読み取られた前記原稿を下方から上方にＵターンさせて前記両面原稿排紙部の近傍に供給する第１の搬送手段と、前記第１の搬送手段により前記両面原稿排紙部の近傍に供給された前記原稿を所定の場合に前記両面原稿排紙部に排出させ又は所定の場合にスイッチバックさせる排出手段と、前記排出手段によりスイッチバックされた前記原稿を前記原稿読取手段に供給する第２の搬送手段と、を有することを特徴とする請求項１に記載の画像読取装置。
【請求項３】
前記原稿の片面読取モードと両面読取モードを選択する選択手段と、前記選択手段において前記片面読取モードが選択されると前記原稿読取手段により一方の面の情報が読み取られた前記原稿を前記片面原稿排紙部に供給する第３の搬送手段と、をさらに備え、
前記選択手段において前記両面読取モードが選択されると、前記原稿読取手段により情報を読み取られた前記原稿が前記第１の搬送手段により下方から上方にＵターンされて前記両面原稿排紙部の近傍に供給され、前記排出手段により前記両面原稿排紙部の近傍に供給された原稿がスイッチバックされ、前記第２の搬送手段によりスイッチバックされた前記原稿が前記原稿読取手段に供給され、
前記選択手段において前記片面読取モードが選択されると、前記第３の搬送手段により前記原稿読取手段により一方の面の情報が読み取られた前記原稿を前記片面原稿排紙部に排出させることを備えたことを特徴とする請求項２に記載の画像読取装置。
【発明の詳細な説明】
【０００１】
【発明の属する技術分野】
本発明は、ファクシミリ、電子写真複写機、スキャナ等の画像読取装置、特にシート状の原稿の片面もしくは両面の読み取りが可能な画像読取装置に関する。
【０００２】
【従来の技術】
従来の自動原稿送り装置（ＡＤＦ）を備えた画像読取装置では、搬送ベルトにより原稿をプラテンガラス上に送り、そこで一旦停止させ、スキャナを移動させて原稿の読み取りを行うシート固定タイプと、プラテンガラスの下方にスキャナを停止させておき、送られてくる原稿の読み取りを行うシートスルータイプのものが知られている。
【０００３】
ここで、シート固定タイプでは、原稿を１枚ずつプラテンガラスの上に一旦停止させ、スキャナを移動させて読み取りを行うため、特に両面原稿の読み取りを行う場合には、処理時間がかかり、処理スピードが限られるという問題がある。
【０００４】
一方、シートスルータイプのものとして、例えば、図６に示す画像読取装置１００がある。この画像読取装置１００では、原稿給紙トレイ１０２に原稿の第１面（読取面）を上にして複数枚の原稿を載置し、ピックアップローラ１０４により最上に位置する原稿から取り出して、上方から下方へＵターンする原稿搬送路１０６に供給される。原稿搬送路１０６に供給された原稿は、その最下部にあるプラテンガラス（読取位置）１０８で、下方に待機したスキャナ１１０により第１面の情報が読み取られる。第１面の情報が読み取られた原稿は、読取位置から上方に湾曲する排紙路１１２を通過して排紙ローラ１１４に送られる。
【０００５】
排紙ローラ１１４に送られた原稿は、その搬送方向後端部側を排紙ローラ１１４によりニップされた状態で、逆回転された排紙ローラ１１４により原稿戻し路１１６に送られる。そして、原稿戻し路１１６から再度プラテンガラス１０８上に供給され、原稿の第２面の情報がスキャナ１１０により読み取られる。
【０００６】
ところで、第１面と第２面の情報が読み取られた原稿を第１面を上にした状態で排紙トレイ１１８に排出すると、原稿がページ順に揃わないため、第１面を上にした状態で再度原稿戻し路１１６及び原稿搬送路１０６に通され、給紙トレイ１０２の下方に設けられた排紙トレイ１１８に排出させるようにしている（以下、適宜「原稿反転処理作業」という。）。このように排出された原稿は第１面が下を向いている状態で排出されるため、ページ順に揃えることが可能となる。
【０００７】
しかしながら、従来の画像読取装置１００では、原稿反転処理作業が必要なことから、制御機構が複雑となる上、原稿の搬送距離も長くなるため、搬送途中でジャムを起こし易くなるとともに、原稿反転処理作業が終了するまで次の原稿の繰り込みができなくなるため、複数枚の原稿の両面を読み取る読取時間が長くなってしまうという問題がある。
【０００８】
【特許文献１】
特開平７−１７５２７９号公報
【０００９】
【発明が解決しようとする課題】
そこで、本発明は上記事情に鑑みて成されたものであり、簡易な構成で複数枚の原稿の両面読取時間の短縮を実現でき、かつジャムの発生を極力防止することができる画像読取装置を提供することを目的とする。
【００１０】
【課題を解決するための手段】
本発明は、上記課題を解決するため、以下の手段を採用する。
請求項１に記載の発明は、原稿が載置される原稿給紙部と、原稿の情報を読み取る原稿読取手段と、前記原稿給紙部に積載された原稿を前記原稿読取手段に供給する原稿供給手段と、前記原稿給紙部と前記原稿読取手段を介して反対側に設けられ片面の情報が読み取られた原稿が排出される片面原稿排紙部と、前記原稿給紙部の上方に配置され両面の情報が読み取られた原稿が排出される両面原稿排紙部と、を有することを特徴とする。
【００１１】
請求項１に記載の発明によれば、原稿給紙部に載置された原稿が原稿供給手段により原稿読取手段に供給され、原稿の片面又は両面の情報が読み取られる。片面の情報が読み取られた原稿は片面原稿排紙部に排出され、両面の情報が読み取られた原稿は両面原稿排紙部に排出される。
ここで、本発明の画像読取装置では、両面原稿排紙部が原稿給紙部の上方に位置しているため、両面原稿排紙部が原稿給紙部の下方に位置していた従来の画像読取装置と比較して、読み取られた原稿を容易に取り出すことができる。また、両面原稿排紙部が原稿給紙部の上方に位置していると、ジャムが発生した場合にも容易に対応することができる。
【００１２】
請求項２に記載の発明は、請求項１に記載の画像読取装置において、前記原稿読取手段により情報が読み取られた前記原稿を下方から上方にＵターンさせて前記両面原稿排紙部の近傍に供給する第１の搬送手段と、前記第１の搬送手段により前記両面原稿排紙部の近傍に供給された前記原稿を所定の場合に前記両面原稿排紙部に排出させ又は所定の場合にスイッチバックさせる排出手段と、前記排出手段によりスイッチバックされた前記原稿を前記原稿読取手段に供給する第２の搬送手段と、を有することを特徴とする。
【００１３】
請求項２に記載の発明によれば、原稿がその読取面（一方の面）を下に向けた状態で原稿給紙部に載置される。原稿給紙部に載置された複数枚の原稿は、最下層の原稿から原稿供給手段により原稿読取手段に供給される。この原稿読取手段により原稿の一方の面の情報が読み取られる。一方の面の情報が読み取られた原稿は、第１の搬送手段により下方から上方にＵターンするようにして両面原稿排紙部の近傍に送られる。両面原稿排紙部の近傍に送られた原稿は、排出手段により一方の面を上方に向けた状態で所定の場合にスイッチバックされる。スイッチバックされた原稿は、第２の搬送手段により原稿読取手段に供給される。この原稿読取手段により、原稿の他方の面の情報が読み取られる。他方の面の情報が読み取られた原稿は、第１の搬送手段により両面原稿排紙部の近傍に送られ、所定の場合に排出手段により両面原稿排紙部に排出される。このように、両面の情報が読み取られた原稿は最初に読み取られた一方の面が下方に向く形で両面原稿排紙部に順次排出されていく。
以上のように本発明の画像読取装置によれば、第１の搬送手段、第２の搬送手段及び排出手段により、両面の情報が読み取られ両面原稿排紙部に排出された原稿をページ順に揃えることができる。このため、簡易な構成により、従来の画像読取装置による原稿の両面読取りのように原稿反転処理作業を不要とすることができるため、両面読み取りの読取時間を大幅に短縮することができる。また、原稿の搬送距離も短くすることができるため、ジャムの発生を極力防止することができる。
【００１４】
請求項３に記載の発明は、請求項２に記載の画像読取装置において、前記原稿の片面読取モードと両面読取モードを選択する選択手段と、前記選択手段において前記片面読取モードが選択されると前記原稿読取手段により一方の面の情報が読み取られた前記原稿を前記片面原稿排紙部に供給する第３の搬送手段と、をさらに備え、
前記選択手段において前記両面読取モードが選択されると、前記原稿読取手段により情報を読み取られた前記原稿が前記第１の搬送手段により下方から上方にＵターンされて前記両面原稿排紙部の近傍に供給され、前記排出手段により前記両面原稿排紙部の近傍に供給された原稿がスイッチバックされ、前記第２の搬送手段によりスイッチバックされた前記原稿が前記原稿読取手段に供給され、
前記選択手段において前記片面読取モードが選択されると、前記第３の搬送手段により前記原稿読取手段により一方の面の情報が読み取られた前記原稿を前記片面原稿排紙部に排出させることを備えたことを特徴とする。
【００１５】
請求項３に記載の発明よれば、選択手段において両面読取モードが選択されると、原稿読取手段により一方の面の情報を読み取られた原稿が第１の搬送手段により下方から上方にＵターンされて両面原稿排紙部の近傍に供給され、排出手段により両面原稿排紙部の近傍に供給された原稿がスイッチバックされる。そして、第２の搬送手段によりスイッチバックされた原稿が原稿読取手段に供給され、他方の面の情報が読み取られる。他方の面の情報が読み取られた原稿は第１の搬送手段及び排出手段により両面原稿排紙部に排出される。
一方、選択手段において片面読取モードが選択されると、第３の搬送手段により原稿読取手段により一方の面の情報が読み取られた原稿が片面原稿排紙部に排出させられる。
以上のように、本発明の画像読取装置によれば、選択手段において片面読取モードが選択されることにより、原稿を片面原稿排紙部に排出させることができる。このため、片面読取モードと両面読取モードの双方に対応することができる。
【００１６】
【発明の実施の形態】
次に、本発明の実施形態に係る画像読取装置について、図面を参照して説明する。
【００１７】
図１乃至図４に示すように、画像読取装置１０は、複数の給紙カセット１２が配置された画像読取装置本体１４を備えている。この画像読取装置本体１４の上面にはプラテンガラス１６が取り付けられており、このプラテンガラス１６の下方であり、かつ画像読取装置本体１４に内部に原稿Ｐの情報を読み取るスキャナ１７が配置されている。また、画像読取装置本体１４の上部前面には、原稿Ｐの情報読取の開始や中止などを操作する操作パネル１８が配置されている。また、図４に示すように、この操作パネル１８は、制御部３９と接続されている。
【００１８】
ここで、画像読取装置本体１４の上部には、プラテンガラス１６上に原稿Ｐを供給するための自動原稿送り装置２０が取り付けられている。また、自動原稿送り装置２０は、画像読取装置１０に設けられた取付軸（図示省略）に取り付けられており、この軸回りに回転することによりプラテンガラス１６を開閉できるようになっている。また、この自動原稿送り装置２０は、一方の面が読み取られた原稿ＰをＵターンさせて後述の両面原稿排出トレイ２６に搬送する原稿搬送機構２１と、この原稿搬送機構（原稿供給手段）２１を覆うカバー部材２４と、情報が読み取られる原稿Ｐが載置される原稿給紙トレイ２７と、原稿給紙トレイ２７の上方に配置され両面の情報を読み取られた原稿Ｐが排出される両面原稿排出トレイ２６と、を備えている。また、自動原稿送り装置２０の側面であって原稿給紙トレイ２６とスキャナ１７を介して反対側には、片面のみの情報が読み取られた原稿Ｐが排出される片面原稿排出トレイ５９が設けられている。
【００１９】
ここで、原稿搬送機構２１について詳細に説明する。
【００２０】
図２及び図４に示すように、原稿搬送機構２１は、原稿給紙トレイ２７から原稿Ｐを繰り出す繰出しローラ２５を備えている。また、繰出しローラ２５の上流側近傍には、トレイ上の原稿の有無を検出する原稿セットセンサ６１が配置されている。なお、この原稿セットセンサ６１は、制御部３９と接続されている。また、原稿セットセンサ６１の下流側近傍には、繰出しローラ２５により繰り出された原稿Ｐをプラテンガラス１６上に搬送する複数の搬送ローラ２９が配置されている。このため、繰出しローラ２５により繰出された原稿Ｐは、搬送ローラ２９により供給搬送路３１Ａ、３１Ｂ、３１Ｃを搬送されてプラテンガラス１６上まで供給される。なお、繰出しローラ２５及び搬送ローラ２９は、後述の制御部３９と接続した給紙モータ６３により回転駆動される構成となっている。また、繰出しローラ２５側に位置する搬送ローラ２９の近傍にはフイルム片６５が設けられており、このフイルム片６５が供給搬送路３１Ａを搬送されてきた原稿Ｐが供給搬送路３１Ｂに進行するようにガイドしている。さらに、後述のスキャナ１７側に位置する搬送ローラ２９の近傍には、読取センサ６７が配置されている。なお、この読取センサ６７は、制御部３９と接続されている。
上記読取センサ６７が原稿の先端を検出して給紙モータ（例えば、ステッピングモータ）により所定ステップ数カウントされると、原稿の読取りが開始され、読取センサ６７が後端を検出すると、所定ステップ数カウント後に読取りが終了する。
【００２１】
また、プラテンガラス１６の下流側近傍には、一方の面の情報がスキャナ１７により読み取られた原稿Ｐを第１の搬送路３３に通すための第１の切替ローラ３５が配置されている。また、プラテンガラス１６の下流側近傍には、一方の面の情報がスキャナ１７により読み取られた原稿Ｐを排出搬送路４９に通して片面原稿排出トレイ５９に排出させるための第２の切替ローラ３７が配置されている。この第１の切替ローラ３５と第２の切替ローラ３７とは、制御部３９による出力信号に基づいて作動する片面排出モータ５１によりそれぞれ別個独立に回転駆動されるように構成されている。さらに、第１の切替ローラ３５と第２の切替ローラ３７との間には、排出分岐レバー６９が配置されている。この排出分岐レバー６９は、制御部３９と接続された片面排出ソレノイド７１により駆動され、両面読取モードでは第１の切替ローラ３５側に原稿を案内し、片面読取モードでは第２の切替ローラ３７側に原稿を案内している。
【００２２】
また、一方の面の情報が読み取られた原稿Ｐが第１の切替ローラ３５により搬送される第１の搬送路３３が配置されている。この第１の搬送路３３の近傍には、第１の搬送路３３を搬送する原稿Ｐを後述の排出ローラ２３に搬送する搬送ローラ４１が配置されている。また、両面原稿排出トレイ２６の近傍には、搬送ローラ４１により第１の搬送路３３を搬送されてきた原稿Ｐを両面原稿排出トレイ２６に排出する排出ローラ２３が配置されている。この排出ローラ２３は、制御部３９と接続した給紙モータ６３により制御される電磁クラッチ７３により回転駆動される構成となっている。さらに、排出ローラ２３の近傍には、反転センサ７５が設けられている。この反転センサ７５は、制御部３９と接続されている。
ここで、反転センサ７５の役割について説明する。
反転センサ７５が原稿Ｐの後端を検出し、給紙モータ６３が所定ステップ数カウントされると、給紙モータ６３の回転を一旦停止し、排出ローラ２３で原稿Ｐの後端をニップした状態とする。そして、排出ローラ２３で原稿Ｐの後端をニップした状態で給紙モータ６３を逆転させ、原稿Ｐをスイッチバックさせる。
【００２３】
一方、排出ローラ２３の近傍には、スイッチバックした原稿Ｐを第２の搬送路４３に送るための搬送ローラ４５が配置されている。第２の搬送路４３は、スイッチバックした原稿Ｐをプラテンガラス１６上に供給できるように供給搬送路３１Ｂに接続されている。なお、この搬送ローラ４５も、制御部３９からの出力信号に基づいて駆動される給紙モータ６３により回転駆動させられる構成となっている。また、搬送ローラ４５の近傍には、フイルム片７７が設けられている。このフイルム片７７により、スイッチバックした原稿Ｐが第２の搬送路４３に進行するように原稿Ｐをガイドする。
【００２４】
以上説明したように、原稿搬送機構２１には、一方の面の情報が読み取られた原稿Ｐを下方から上方にＵターンして両面原稿排出トレイ２６に導く第１の搬送路３３と、排出ローラ２３によりスイッチバックした原稿Ｐを再度プラテンガラス１６上に供給するための第２の搬送路４３とがそれぞれ設けられている。
【００２５】
次に、本実施形態の画像読取装置１０の作用及び効果について詳細に説明する。先ず、原稿Ｐの両面読取りの場合（両面読取モード）について説明する。
【００２６】
図２に示すように、読み取り面（一方の面、表面）が下方（図２中矢印Ｘ方向）を向くように複数枚の原稿Ｐを原稿給紙トレイ２７に載置する。このとき、先に読み取る原稿を下側になるように配置させておく。原稿Ｐを原稿給紙トレイ２７にセットした後、操作パネル１８を操作し、両面読取にセットする。
【００２７】
次に、原稿セットセンサ６１が原稿給紙トレイ２７に原稿Ｐがセットされたことを検出した状態で、操作パネル１８のスタートボタン１８Ａの押下げが制御部３９に入力され、給紙モータ６３の回転が開始する。これにより、原稿給紙トレイ２７に載置された原稿Ｐが繰出しローラ２５に挟まれて下側から順番に原稿搬送機構２１の内部に繰り出されていく。繰出しローラ２５により繰り出された原稿Ｐは、供給搬送路３１Ａを搬送していき、フイルム片６５にガイドされながら回転駆動された一方の搬送ローラ２９により供給搬送路３１Ｂに進行する。さらに、原稿Ｐは、回転駆動された他方の搬送ローラ２９によりプラテンガラス１６上に搬送される。
【００２８】
プラテンガラス１６上に搬送された原稿Ｐの一方の面（表面）は、予めプラテンガラス１６の下方に待機していたスキャナ１７により読み取られる。このスキャナ１７は、読取センサ６７により原稿Ｐの先端が検出されると、この検出信号が制御部３９に入力され、制御部３９から作動命令がスキャナ１７に出力され、この作動命令に基づいてスキャナ１７が作動する。
【００２９】
両面読取モードが選択されると、制御部３９により片面排出ソレノイド７１が制御され、排出分岐レバー６９が排出搬送路４９を塞ぎ、原稿Ｐを第１の搬送路へ案内するようになる。このとき、制御部３９は片面排出モータ５１に対して第１の切替ローラ３５のみを回転させるように制御する。このため、第１の切替ローラ３５のみが回転し、第２の切替ローラ３７は回転していない。
【００３０】
このため、表面が読み取られた原稿Ｐは、第１の切替ローラ３５の回転駆動により第１の搬送路３３に搬送される。第１の搬送路３３に搬送された原稿Ｐは、搬送ローラ４１によりそのまま第１の搬送路３３を搬送され、排出ローラ２３に供給される。
【００３１】
ここで、図３に示すように、排出ローラ２３に供給された原稿Ｐは、排出ローラ２３により挟持される。このとき、原稿Ｐは、一方の面（表面）が上方（図２中矢印Ｙ方向）を向いた状態で排出ローラ２３により挟持されている。そして、原稿Ｐの後端が反転センサ７５に検出され、検出信号が制御部３９に入力され、所定ステップ数がカウントされると給紙モータ３９が一旦停止される。そして、原稿の大部分が両面排紙トレイに排出され、原稿の後端が排出ローラによりニップされる。このとき、原稿Ｐは、一方の面（表面）が上方（図２中矢印Ｙ方向）を向いた状態で排出ローラ２３により挟持されている。そして、給紙モータ６３が逆転されると、原稿Ｐはスイッチバックを開始する。このとき、給紙モータ６３が駆動するが、繰出しローラ２５、搬送ローラ２９、搬送ローラ４１は、電磁クラッチ７３の切替により給紙モータ６３と接続されていないため、排出ローラ２３と同じようには回転駆動しない。
【００３２】
排出ローラ２３の逆回転により原稿Ｐはスイッチバックし、制御部３９からの出力信号に基づいて回転駆動された搬送ローラ４５により第２の搬送路４３に送られる。このとき、排出ローラ３３側から見ればフイルム片７７により第１の搬送路３３が塞がれた状態になっているため、スイッチバックされた原稿Ｐは、第１の搬送路３３に進入せず、第２の搬送路４３に進行する。第２の搬送路４３に送られた原稿Ｐは、回転駆動された搬送ローラ２９により供給搬送路３１Ｂ、３１Ｃを通って再度プラテンガラス１６上に搬送される。プラテンガラス１６上に送られた原稿Ｐは、他方の面（裏面）が下方のスキャナ１７を向く状態となっている。読取センサ６７により原稿Ｐが検出されると、スキャナ１７により原稿Ｐの裏面の情報が読み取られる。
【００３３】
裏面の情報が読み取られた原稿Ｐは、排出分岐レバー６９が排出搬送路４９を塞いでいるため、第１の切替ローラ３５により第１の搬送路３３に送られる。第１の搬送路３３に送られた原稿Ｐは、搬送ローラ４１により排出ローラ２３に搬送されていく。そして、原稿Ｐは、排出ローラ２３によりそのまま両面原稿排出トレイ２６に排出される。
【００３４】
以上のように、原稿給紙トレイ２７に載置された原稿Ｐは、両面の読み取り終了後に、次々に両面原稿排出トレイ２６に排出されていく。このとき、原稿Ｐは、表面が下方を向いた状態で両面原稿排出トレイ２６に排出されていき、かつ順次、積層されていくので、両面原稿排出トレイ２６に排出された複数枚の原稿Ｐは、ページ順に揃うことになる。
【００３５】
次に、原稿Ｐの片面読取りの場合（片面読取モード）について説明する。
【００３６】
図５に示すように、両面読取りの場合と同様にして、読み取り面（一方の面、表面）が下方（図５中矢印Ｘ方向）を向くように複数枚の原稿Ｐを原稿給紙トレイ２７に載置する。このとき、先に読み取る原稿を下側になるように配置させておく。原稿Ｐを原稿給紙トレイ２７にセットした後、操作パネル１８を操作し、片面読取にセットする。
【００３７】
次に、原稿セットセンサ６１が原稿給紙トレイ２７に原稿Ｐがセットされたことを検出した状態で、操作パネル１８のスタートボタン１８Ａの押下が制御部３９に入力されると、制御部３９からの作動命令により給紙モータ６３が作動し繰出しローラ２５が回転する。これにより、原稿給紙トレイ２７に載置された原稿Ｐが下側から順番に原稿搬送機構２１に繰り出されていく。繰出しローラ２５により繰り出された原稿Ｐは、供給搬送路３１Ａを搬送していき、さらに、両面読取りの場合と同様に、回転駆動された搬送ローラ２９により供給搬送路３１Ｂ、供給搬送路３１Ｃを経てプラテンガラス１６上に搬送される。
【００３８】
プラテンガラス１６上に搬送された原稿Ｐの一方の面（表面）は、予めプラテンガラス１６の下方に待機していたスキャナ１７により読み取られる。このスキャナ１７は、読取センサ６７により原稿Ｐの先端が検出されると、この検出信号が制御部３９に入力され、制御部３９から作動命令がスキャナ１７に出力され、この作動命令に基づいてスキャナ１７が作動する。
【００３９】
ここで、操作パネル１８により片面読取にセットされているので、制御部３９から第２の切替ローラ３５のみを回転させる出力信号が片面排出モータ５１に出力される。このため、第２の切替ローラ３５のみが回転しており、第１の切替ローラ３７は回転していない。また、片面排出ソレノイド７１が制御部３９により制御され、この片面排出ソレノイド７１により排出分岐レバー６９が第１の搬送路３３を塞ぐように作動される。これにより、原稿Ｐは、第１の搬送路３３に進行することがない。
【００４０】
このため、表面が読み取られた原稿Ｐは、第２の切替ローラ３５の回転駆動により、排出搬送路４９を経て片面原稿排出トレイ５９に排出される。なお、原稿Ｐは、表面が下方を向いた状態で片面原稿排出トレイ５９に排出されていき、かつ順次、積層されていくので、片面原稿排出トレイ５９に排出された複数枚の原稿Ｐは、ページ順に揃うことになる。このように、本発明の画像読取装置１０によれば、原稿Ｐの片面読取りにも対応することができる。
【００４１】
以上のように、本実施形態の画像読取装置１０においては、原稿Ｐを第１の搬送路３３及び第２の搬送路４３を通すことにより、原稿Ｐの両面の情報を読み取ることができ、そのまま原稿Ｐを両面原稿排出トレイ２６に排出させることによりページ順に揃えることができる。このため、簡易な構成により、従来の画像読取装置１００による原稿の両面読取りのように原稿反転処理作業を不要とすることができるため、両面読み取りの読取時間を大幅に短縮することができる。また、原稿Ｐの搬送距離も短くすることができるため、ジャムの発生を極力防止することができる。
【００４２】
なお、前記制御部３９は、操作パネル１８による操作により両面読取りと片面読取りを判断する形態を説明したが、これに限られるものではなく、例えば、片面原稿排出トレイ５９の開閉状態を検知できる検知手段（図示省略）を設け、片面原稿排出トレイ５９が開状態となったときに、検知手段から制御部３９により片面読取りの情報が伝達される構成にしてもよい。
【００４３】
また、排出ローラ２３は、制御部３９による出力信号により作動する電磁ソレノイドなどのアクチュエータ手段（図示省略）によって相互のロール間の離間距離が調整できるように構成してもよい。
【００４４】
この場合、原稿搬送機構２１の近傍に原稿Ｐの長さを検出する検出手段（図示省略）を設け、この検出手段により原稿Ｐの長さが所定値（例えば、２１０ｍｍ）以上であると検出されると、検出手段から制御部３９に検出信号が出力され、アクチュエータ手段が制御部３９から出力された信号に基づいて排出ローラ２３のロール間を離間させるように構成させることもできる。
【００４５】
かかる構成とすることにより、比較的長い原稿Ｐをスキャナ１７で読み取るときに、第１の搬送路３３が比較的短い場合でも、原稿Ｐの先端部が、離間された排出ローラ２３のロール間を通過していくため、排出ローラ２３が邪魔になることがない。このため、第１の搬送路３３を比較的短くすることができ、自動原稿送り装置２０を小型化することができるとともに、原稿Ｐの搬送距離も短くすることができ、ジャムの発生も防止できる。
【００４６】
【発明の効果】
以上説明した本発明の画像読取装置においては以下の効果を奏する。
請求項１記載の発明は、両面原稿排紙部が原稿給紙部の上方に位置しているため、両面原稿排紙部が原稿給紙部の下方に位置していた従来の画像読取装置と比較して、読み取られた原稿を容易に取り出すことができる。また、両面原稿排紙部が原稿給紙部の上方に位置していると、ジャムが発生した場合にも容易に対応することができる。
【００４７】
請求項２記載の発明は、第１の搬送手段、第２の搬送手段及び排出手段により、両面の情報が読み取られ両面原稿排紙部に排出された原稿をページ順に揃えることができる。このため、簡易な構成により、従来の画像読取装置による原稿の両面読取りのように原稿反転処理作業を不要とすることができるため、両面読み取りの読取時間を大幅に短縮することができる。また、原稿の搬送距離も短くすることができるため、ジャムの発生を極力防止することができる。
【００４８】
請求項３記載の発明は、選択手段において片面読取モードが選択されることにより、原稿を片面原稿排紙部に排出させることができる。このため、片面読取モードと両面読取モードの双方に対応することができる。
【図面の簡単な説明】
【図１】本発明の一実施形態に係る画像読取装置の斜視図である。
【図２】本発明の一実施形態に係る画像読取装置で両面読取りを行う場合において原稿の表面を読み取るときのシステム図である。
【図３】本発明の一実施形態に係る画像読取装置で両面読取りを行う場合において原稿の裏面を読み取るときのシステム図である。
【図４】本発明の一実施形態に係る画像読取装置を構成する各構成要素を示したブロック図である。
【図５】本発明の一実施形態に係る画像読取装置で片面読取りを行う場合において原稿の表面を読み取るときのシステム図である。
【図６】従来の画像読取装置の概略構成図である。
【符号の説明】
１０  画像読取装置
１７  スキャナ（原稿読取手段）
２１  原稿搬送機構（原稿供給手段）
２３  排出ローラ（排出手段）
２５  繰出しローラ（原稿供給手段）
２６  両面原稿排出トレイ（両面原稿排紙部）
２７  原稿給紙トレイ（原稿給紙部）
２９  搬送ローラ（原稿供給手段）
３１Ａ供給搬送路（原稿供給手段）
３１Ｂ供給搬送路（原稿供給手段）
３１Ｃ供給搬送路（原稿供給手段）
３３  第１の搬送路（第１の搬送手段）
３７  第２の切替ローラ（片面原稿排出手段）
３９  制御部（選択手段）
４３  第２の搬送路（第２の搬送手段）
４９  排出搬送路（第３の搬送手段）
５９  片面原稿排出トレイ（片面原稿排紙部）
【図１】
2005033455.tif 000003
【図２】
2005033455.tif 000004
【図３】
2005033455.tif 000005
【図４】
2005033455.tif 000006
【図５】
2005033455.tif 000007
【図６】
2005033455.tif 000008